(57)【要約】【課題】  シャツプレス仕上げ機の人体型に装着するカバーにおいて、シャツの側部の仕上がり状態を良くし、シャツの側部を綺麗に仕上げることができるようにする。【解決手段】  本発明は、人体型１の両側部に、人体型１に着せたシャツ２の側部を人体型１の側方に張り出して緊張する弓形部材３を備えて形成されているシャツプレス仕上げ機の、上記の人体型１に装着して使用するカバーである。弓形部材３で人体型１の側方に張り出す張り出し部４を備える。この張り出し部４を人体型１の縦方向に沿って縦長の袋状に形成する。また張り出し部４を弓形部材３に取り付けるための取付部７を、人体型１の内部に面する張り出し部４の内側に形成する。張り出し部４に供給した空気を人体型１の側方に噴出させる小孔１３を、シャツ２の脇の下から裾に対応する張り出し部４の外側面位置に複数形成する。【選択図】      図１
2016116625.tif 000002
【特許請求の範囲】
【請求項１】
人体型の両側部に、人体型に着せたシャツの側部を人体型の側方に張り出して緊張する弓形部材を備えて形成されているシャツプレス仕上げ機の、上記の人体型に装着して使用するカバーであって、上記の弓形部材で人体型の側方に張り出される張り出し部を備え、この張り出し部が人体型の縦方向に沿って縦長の袋状に形成され、この張り出し部を上記の弓形部材に取り付けるための取付部が、人体型の内部に面する張り出し部の内側に形成され、また張り出し部に供給された空気を人体型の側方に噴出させる小孔が、シャツの脇の下から裾に対応する張り出し部の外側面位置に複数形成されていることを特徴とするシャツプレス仕上げ機の人体型装着用カバー。
【請求項２】
請求項１記載のシャツプレス仕上げ機の人体型装着用カバーであって、張り出し部が、縦長の表生地と裏生地が袋状に縫い合わされ、表生地に小孔が、裏生地に取付部が形成されていることを特徴とするシャツプレス仕上げ機の人体型装着用カバー。
【請求項３】
請求項１又は２記載のシャツプレス仕上げ機の人体型装着用カバーであって、シャツの脇の下に対応する張り出し部の外側面位置の小孔が、群れ状に多数形成されていることを特徴とするシャツプレス仕上げ機の人体型装着用カバー。
【請求項４】
人体型の両側部に、人体型に着せたシャツの側部を人体型の側方に張り出して緊張する弓形部材を備えて形成されているシャツプレス仕上げ機の、上記の人体型に装着して使用するカバーであって、上記の弓形部材で人体型の側方に張り出される張り出し部を備え、この張り出し部が人体型の縦方向に沿って縦長の袋状に形成され、この張り出し部を上記の弓形部材に取り付けるための取付部が、人体型の内部に面する張り出し部の内側に形成され、また人体型を正面から見て張り出し部の前後の箇所で、且つ左右方向の略中央位置に、袋状の張り出し部内を左右に仕切る仕切りが、縦方向に延びて形成されていることを特徴とするシャツプレス仕上げ機の人体型装着用カバー。
【請求項５】
請求項４記載のシャツプレス仕上げ機の人体型装着用カバーであって、張り出し部が、縦長の表生地と裏生地が袋状に縫い合わされ、仕切りが表生地と裏生地を縫い合わせた縫い目で形成されていることを特徴とするシャツプレス仕上げ機の人体型装着用カバー。
【請求項６】
請求項４又は５記載のシャツプレス仕上げ機の人体型装着用カバーであって、仕切りの上下端が、張り出し部内の上下端から離され、張り出し部内が仕切りの上下位置を介して連通状に形成されていることを特徴とするシャツプレス仕上げ機の人体型装着用カバー。
【発明の詳細な説明】
【技術分野】
【０００１】
本発明は、洗濯したワイシャツ等のシャツを人体型に着せた状態でプレス仕上げするシャツプレス仕上げ機に関し、更に詳しくは人体型に装着して使用するカバーに関するものである。
【背景技術】
【０００２】
従来、人体型に装着するカバーとしては、例えば特許文献１に記載されているものがある。
この従来品は、人体型の両側に対応する位置に空気袋を備え、この空気袋がシャツのプレス時に圧縮空気で風船状に膨らみ、サイズの異なるシャツの両側部を緊張仕上げするものである。
【０００３】
ところで、人体型にシャツを着せ、前後一対のプレス鏝でプレス仕上げする、この種の仕上げ機の場合、人体型の両側から食み出るプレス鏝の部分は、プレス時に、鏝の内面同士がぶつからないよう構成されている。
【０００４】
従って、従来、空気袋を備えたカバーを人体型に装着してシャツをプレスしたとき、人体型の両側から食み出て鏝の内面に当たるシャツの側部の箇所は、鏝の熱で乾燥仕上げされるが、シャツの側部の縫い目に対応する部分は、前後のプレス鏝が直に当たらないため、乾燥が不充分になり易かった。
【０００５】
而して、シャツは、この両側部分に、上記の通り、シャツの前身頃と後身頃の生地を縫い合わせる縫い目がある。そのため、この箇所は、縫代があって生地が重合しているから、従来品を使用すると、シャツの両側部分を充分に乾燥できず、皴が残ってこの箇所を綺麗に仕上げることができない、という問題点があった。
【０００６】
また従来、人体型の両側に弓形部材を備えた仕上げ機としては、例えば特許文献２に記載されているものがある。
【０００７】
この従来機は、人体型の両側部に、人体型に着せたシャツの側部を人体型の側方に張り出して緊張する弓形部材を備えて形成されている。弓形部材は、上下端に可撓性の線条部材が架け渡されて張られ、エアシリンダー等の駆動装置で人体型の左右方向に進退動作可能に形成されている。
【０００８】
而して、従来、この種の仕上げ機における人体型装着用カバーは、弓形部材が進退動作するため、カバーの側部に、圧縮空気で膨張する袋状部を形成すると、弓形部材によって袋状部が乱雑に人体型の内方に引き込まれ易かった。
【０００９】
従って、例えばサイズの小さいシャツを人体型に着せて弓形部材を張り出させると、従来は、袋状部が整然と綺麗に膨張しにくく、その結果、これによると、袋状部の収縮皴がシャツの側部に付いてシャツの側部を綺麗に仕上げることができない、という問題があった。
【先行技術文献】
【特許文献】
【００１０】
【特許文献１】実用新案登録第３１８１２２５号公報
【特許文献２】特開２００４−３０５３１１号公報
【発明の概要】
【発明が解決しようとする課題】
【００１１】
本発明は、このような従来技術の問題点に鑑み、提案されたものである。
従って、本発明の解決しようとする技術的課題は、洗濯したワイシャツ等のシャツを人体型に着せ、シャツを立体仕上げするシャツプレス仕上げ機の、上記の人体型に装着するカバーにおいて、シャツの側部の仕上がり状態を良くし、シャツの側部を綺麗に仕上げることができるよう形成したシャツプレス仕上げ機の人体型装着用カバーを提供することにある。
【課題を解決するための手段】
【００１２】
本発明は、上記の課題を解決するため、次のような技術的手段を採る。
即ち、本発明は、図１等に示されるように、人体型１の両側部に、人体型１に着せたシャツ２の側部を人体型１の側方に張り出して緊張する弓形部材３を備えて形成されているシャツプレス仕上げ機の、上記の人体型１に装着して使用するカバーであって、上記の弓形部材３で人体型１の側方に張り出される張り出し部４を備え、この張り出し部４が人体型１の縦方向に沿って縦長の袋状に形成され、この張り出し部４を上記の弓形部材３に取り付けるための取付部７が、人体型１の内部に面する張り出し部４の内側に形成され、また張り出し部４に供給された空気を人体型１の側方に噴出させる小孔１３が、シャツ２の脇の下から裾に対応する張り出し部４の外側面位置に複数形成されていることを特徴とする（請求項１）。
【００１３】
本発明の場合、取付部７は、通常、面状ファスナーや紐などで形成されるが、その構造や形成位置、及び個数等は任意である。また小孔１３の径や個数は、張り出し部４が圧縮空気で膨張し、シャツ２の側部を緊張仕上げする機能を損なわない範囲で適宜選定されるので良い。
【００１４】
而して、本発明の場合、張り出し部４は、縦長の表生地４ａと裏生地４ｂが袋状に縫い合わされ、表生地４ａに小孔１３が、裏生地４ｂに取付部７が形成されているのが好ましい（請求項２）。
【００１５】
本発明の場合、張り出し部４は、例えば独立した空気袋で形成するのでも良いが、この本発明によると、表生地４ａや裏生地４ｂに小孔１３や取付部７を予め加工でき、本発明品の製造、加工を容易化できる、という利点がある。
【００１６】
また本発明のカバーは、シャツ２の脇の下に対応する張り出し部４の外側面位置の小孔１３が、群れ状に多数形成されているのが好ましい（請求項３）。
【００１７】
シャツ２は、通常、脇の下の裏側に縫代が集中している。従って、この本発明によれば、シャツ２の脇の下や、その周辺箇所の乾燥を促進できるからである。
【００１８】
また本発明の課題を達成する他の構成としては、図１、図３等に示されるように形成されているものがある。
即ち、本発明は、人体型１の両側部に、人体型１に着せたシャツ２の側部を人体型１の側方に張り出して緊張する弓形部材３を備えて形成されているシャツプレス仕上げ機の、上記の人体型１に装着して使用するカバーであって、上記の弓形部材３で人体型１の側方に張り出される張り出し部４を備え、この張り出し部４が人体型１の縦方向に沿って縦長の袋状に形成され、この張り出し部４を上記の弓形部材３に取り付けるための取付部７が、人体型１の内部に面する張り出し部４の内側に形成され、また人体型１を正面から見て張り出し部４の前後の箇所で、且つ左右方向の略中央位置に、袋状の張り出し部４内を左右に仕切る仕切り１４が、縦方向に延びて形成されていることを特徴とする（請求項４）。
【００１９】
この本発明の場合、張り出し部４は、縦長の表生地４ａと裏生地４ｂが袋状に縫い合わされ、仕切り１４が表生地４ａと裏生地４ｂを縫い合わせた縫い目で形成されているのが好ましい（請求項５）。
【００２０】
なぜならこれによると、接着等の手段で仕切り１４を形成する場合に比べ、張り出し部４の袋状の縫合作業と仕切り１４の縫合作業を一連の流れで行うことができ、その分、カバーの製造、加工を容易化できるからである。
【００２１】
またこの場合、本発明は、仕切り１４の上下端が、張り出し部４内の上下端から離され、張り出し部４内が仕切り１４の上下位置を介して連通状に形成されているのが好ましい（請求項６）。
【００２２】
なぜならこれによると、張り出し部４内の空気の流れが良くなり、張り出し部４を迅速に膨張させることができるからである。
【発明の効果】
【００２３】
本発明のカバーは、このように形成されているから、プレス作業時に、張り出し部に空気を供給すると、この空気が小孔を介して、人体型の側方に前後一対のプレス鏝の隙間から噴出する。
従って、本発明によれば、この空気の流れによってシャツの側部を迅速に、且つ確実に乾燥でき、シャツの側部を綺麗に仕上げることができる。
【００２４】
また請求項４記載の本発明の場合は、シャツをプレス処理後、弓形部材を牽引すると、張り出し部を仕切りによって整然と人体型内に収納することができる。
従って、本発明によれば、弓形部材を張り出させてシャツの側部を緊張仕上げする場合、張り出し部が皴を残すことなく整然と広がって膨張するから、シャツの側部を綺麗に仕上げることができる。
【図面の簡単な説明】
【００２５】
【図１】本発明のカバーの好適な一実施形態を示す使用状態時の要部正面図である。
【図２】同上カバーを装着する人体型を備えたシャツ仕上げ機の斜視図である。
【図３】同上カバーの要部正面図である。
【図４】同上カバーの側面図である。
【図５】人体型に装着したときの同上カバーの作用を説明するための要部正面図である。
【図６】図５のＶＩ−ＶＩ線における拡大断面図である。
【図７】同上カバーの作用を説明するための要部拡大横断面図である。
【図８】Ａは張り出し部の一部を切欠した要部正面図、ＢはＡのＢ−Ｂ線断面図である。
【図９】取付部を説明するためカバーの内方から見た要部斜視図である。
【発明を実施するための形態】
【００２６】
以下、本発明の好適な一実施形態を、添付図面に従って説明する。
本発明は、人体型１の両側部に、人体型１に着せたシャツ２の側部を人体型１の側方に張り出して緊張する弓形部材３を備えて形成されているシャツプレス仕上げ機の、上記の人体型１に装着して使用するカバーである。
【００２７】
本発明のカバーは、上記の弓形部材３で人体型１の側方に張り出される張り出し部４を備えて形成されている。張り出し部４は、この実施形態の場合、非通気性の縦長の表生地４ａ（図６等参照）と裏生地４ｂが縫い合わされて縦長の袋状に形成され、前身頃５と後身頃６の両側に縫い付けられている。
【００２８】
また本発明品は、図１、図４等に示されるように、張り出し部４を上記の弓形部材３に取り付けるための取付部７が、張り出し部４の内側に設けられている。取付部７は、弓形部材３の上端に張り出し部４の上側位置を取り付けるための上側取付部７ａと、弓形部材３の下端に張り出し部４の下側位置を取り付けるための下側取付部７ｂと、弓形部材３とリンク部材８の上端とを連結するプレート９に張り出し部４の略中央位置を取り付けるための中央取付部７ｃとで形成されている。なお、リンク部材８の下端部には、弓形部材３を進退動作させる駆動装置としてのエアシリンダー１０が連結されている。
【００２９】
上側取付部７ａと下側取付部７ｂは、図４、図８等に示されるように、雄雌一対の面状ファスナーで形成されている。この面状ファスナーは、具体的には弓形部材３の上下端に対応するよう、裏生地４ｂの裏側に間隔をあけて設けられている。弓形部材３の上下端は、この面状ファスナーを鉤着して作る隙間に差し入れられるものである。
【００３０】
また中央取付部７ｃは、図９に示されるように、プレート９に対応する裏生地４ｂの位置に、この実施形態では帯状片１１がプレート９を内包するよう、その両端が縫い付けられることで形成されている。帯状片１１の両端は、この実施形態では後述する仕切り１４の縫い目の位置に合わせられている。また帯状片１１は、その内面に雄雌一対の面状ファスナー１２が設けられ、この面状ファスナー１２を鉤着することで帯状片１１を閉じてプレート９にしっかり取り付けることができるように形成されている。
【００３１】
また本発明品は、図１、図６、図７等に示されるように、張り出し部４に供給された空気を人体型１の側方に噴出させる小孔１３が、シャツ２の脇の下から裾に対応する張り出し部４の外側面位置に複数形成されている。小孔１３は、この実施形態の場合、表生地４ａに形成されている。
【００３２】
また小孔１３は、図４に示されるように、側方から見て、張り出し部４の中央の垂線Ｌを境に、左右線対称状に、且つ上下方向に等間隔をあけて形成されている。この実施形態の場合、シャツ２の脇の下に対応する張り出し部４の箇所の小孔１３は、群れ状に多数形成され、その下側の小孔１３は、シャツ２の裾の近傍位置まで２列状に形成されている。
【００３３】
而して、本発明品は、図１、図３等に示されるように、人体型１を正面から見て張り出し部４の前後の箇所で、且つ左右方向の略中央位置に、袋状の張り出し部４内を左右に仕切る仕切り１４が、縦方向に延びて形成されている。この実施形態の本発明の場合、仕切り１４は、表生地４ａ（図６、図７等参照）と裏生地４ｂを縫い合わせた縫い目で形成されている。
【００３４】
またこの実施形態の場合、仕切り１４としての縫い目の上下端は、図３等に示されるように、張り出し部４内の上下端から離され、張り出し部４内が仕切り１４の上下位置を介して連通状に形成されている。なお、１５は、張り出し部４の下部に設けられている空気供給口である。
【００３５】
次に、本発明の作用を説明する。
弓形部材３の駆動装置としてのエアシリンダー１０のロッドが延伸すると、リンク部材８が回動し、弓形部材３が人体型１の側方に張り出される。
【００３６】
すると、弓形部材３に張られている線条部材３ａが、張り出し部４の内面である裏生地４ｂの裏面に押し当てられ、シャツ２の側部を張り出し部４と一緒に人体型１の側方に伸張させる。これにより、シャツ２の側部（胴部）が緊張される。
【００３７】
そして、この状態で張り出し部４に圧縮空気が供給されると共に、前後一対のプレス鏝１６（図７参照）が、シャツ２の胴部をプレス仕上げする。圧縮空気が張り出し部４に供給されると、空気は仕切り１４の上下の位置を介して流れ、張り出し部４は仕切り１４を介して縦長に膨張し、シャツ２の側部をプレス鏝１６の内面に押し付ける。
【００３８】
そして、圧縮空気は、図７に示されるように、張り出し部４の小孔１３から人体型１の側方に噴出する。従って、本発明によれば、シャツ２の側部の縫代の部分の乾きが早くなり、側部を綺麗に仕上げることができる。
【００３９】
またこの実施形態の本発明品は、シャツ２の脇の下に対応する位置に小孔１３が群れ状に形成されている。従って、これによると、シャツ２の脇の下の縫代の重なり部分が、群れ状の小孔１３から噴き出る空気で迅速に乾燥される。
【００４０】
その後、駆動装置としてのエアシリンダー１０のロッドが収縮すると、リンク部材８を介して弓形部材３が人体型１の内方に回動して退避する。張り出し部４は、取付部７で弓形部材３に取り付けられているから、弓形部材３が人体型１の内方に退避すると、図５、図６に示されるように、張り出し部４は弓形部材３と一緒に人体型１の内方に引き込まれる。
【００４１】
而して、本発明のカバーは、張り出し部４の前後の所定位置に、仕切り１４が形成されている。そのため、弓形部材３が人体型１の内方に移動すると、張り出し部４は仕切り１４によってアコーディオン状に畳まれ、形が大きく崩れることなく、整然と人体型１の内方に引き込まれる。
【００４２】
従って、本発明品は、張り出し部４に圧縮空気が供給されて膨張するとき、仕切り１４で仕切られた各室が縦長状に整然と膨らみ、張り出し部４の表面に皴が生じにくくなる。その結果、例えばサイズの小さいシャツ２を人体型１に着せて仕上げるとき、本発明はシャツ２の側部内で張り出し部４が整然と膨張する。
それ故、本発明によれば、シャツ２の側部に張り出し部４の表面皴が付くことを防止でき、シャツ２の側部を綺麗に仕上げることができる。
【００４３】
以上の処において、本発明は、上記の取付部７を、例えば紐で形成し、紐を弓形部材３の上下端やプレート９に縛り付けるように形成しているのでも良い。
また小孔１３は、張り出し部４が膨張袋としての機能を発揮できる範囲であれば、その個数や形状、大きさ等は任意である。
【００４４】
また上例では、仕切り１４が、縫い目で形成されているが、本発明はこれに限定されるものではない。即ち、本発明の場合、仕切り１４は、その他、例えば接着等の手段で形成されているのでも良い。
【符号の説明】
【００４５】
１      人体型
２      シャツ
３      弓形部材
４      張り出し部
７      取付部
１３    小孔
【図１】
2016116625.tif 000003
【図２】
2016116625.tif 000004
【図３】
2016116625.tif 000005
【図４】
2016116625.tif 000006
【図５】
2016116625.tif 000007
【図６】
2016116625.tif 000008
【図７】
2016116625.tif 000009
【図８】
2016116625.tif 000010
【図９】
2016116625.tif 000011